【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
画像表示装置で表示される画像情報と前記画像表示装置を識別する識別情報を記憶するサーバ装置と通信可能な画像処理装置であって、
前記画像表示装置が接続された場合、前記画像表示装置から識別情報を取得し、該取得された識別情報に対応する画像情報を前記サーバ装置から取得する取得手段と、
前記取得手段により取得された画像情報を前記画像表示装置に転送する転送手段と、
を有することを特徴とする画像処理装置。
【請求項２】
画像表示装置で表示される画像情報と、前記画像表示装置を識別する識別情報とを、前記画像情報を特定するための特定情報とともに記憶するサーバ装置と通信可能な画像処理装置であって、
前記サーバ装置から取得する画像情報を特定する検索条件を設定する設定手段と、
前記画像表示装置が接続された場合、前記画像表示装置から識別情報を取得し、該取得された識別情報に対応する画像情報であって、前記特定情報が前記設定手段により設定された前記検索条件を満たす画像情報を前記サーバ装置から取得する取得手段と、
前記取得手段により取得された画像情報を前記画像表示装置に転送する転送手段と、
を有することを特徴とする画像処理装置。
【請求項３】
前記特定情報は、日時情報であることを特徴とする請求項２に記載の画像処理装置。
【請求項４】
前記画像情報は、ページ記述言語に基づく印刷情報であることを特徴とする請求項１乃至３のいずれか１項に記載の画像処理装置。
【請求項５】
サーバ装置と通信可能な情報処理装置であって、
画像表示装置で表示される画像情報を生成する生成手段と、
前記生成手段により生成された画像情報に前記画像表示装置を識別する識別情報を付加する付加手段と、
前記識別情報が付加された前記画像情報を前記サーバ装置に転送する転送手段と、
を備えることを特徴とする情報処理装置。
【請求項６】
サーバ装置と通信可能な情報処理装置であって、
画像表示装置で表示される画像情報を生成する生成手段と、
前記生成手段により生成された画像情報に前記画像表示装置を識別する識別情報と、前記画像情報を特定するための特定情報とを付加する付加手段と、
前記識別情報と前記特定情報とが付加された前記画像情報を前記サーバ装置に転送する転送手段と、
を備えることを特徴とする情報処理装置。
【請求項７】
前記特定情報は、日時情報であることを特徴とする請求項６記載の情報処理装置。
【請求項８】
情報処理装置と、画像処理装置と通信可能なサーバ装置であって、
前記情報処理装置から取得する画像情報と、前記画像処理装置に接続可能な画像表示装置の識別情報とを蓄積する蓄積手段と、
前記画像処理装置からの検索要求で指定される識別情報に基づいて、前記蓄積手段に蓄積されている画像情報のうち、前記検索要求で指定される識別情報に対応する画像情報を前記画像処理装置に転送する転送手段と、
を有することを特徴とするサーバ装置。
【請求項９】
情報処理装置と、画像処理装置と通信可能なサーバ装置であって、
前記情報処理装置から取得する画像情報と、前記画像処理装置に接続可能な画像表示装置の識別情報と、前記画像情報を特定するための特定情報とを蓄積する蓄積手段と、
前記画像処理装置からの検索要求で指定される識別情報と検索条件とに基づいて、前記蓄積手段に蓄積されている画像情報のうち、前記検索要求で指定される識別情報に対応する画像情報であって、前記特定情報が前記検索要求で指定される検索条件を満たす画像情報を前記画像処理装置に転送する転送手段と、
を有することを特徴とするサーバ装置。
【請求項１０】
前記特定情報は、日時情報であることを特徴とする請求項９記載のサーバ装置。
【請求項１１】
画像表示装置で表示される画像情報と前記画像表示装置を識別する識別情報を記憶するサーバ装置と通信可能な画像処理装置におけるデータ処理方法であって、
前記画像表示装置が接続された場合、前記画像表示装置から識別情報を取得し、該取得された識別情報に対応する画像情報を前記サーバ装置から取得する取得ステップと、
前記取得ステップにより取得された画像情報を前記画像表示装置に転送する転送ステップと、
を有することを特徴とするデータ処理方法。
【請求項１２】
画像表示装置で表示される画像情報と、前記画像表示装置を識別する識別情報とを、前記画像情報を特定するための特定情報とともに記憶するサーバ装置と通信可能な画像処理装置におけるデータ処理方法であって、
前記サーバ装置から取得する画像情報を特定する検索条件を設定する設定ステップと、
前記画像表示装置が接続されたことに応じて、前記画像表示装置から識別情報を取得し、該取得された識別情報に対応する画像情報であって、前記特定情報が前記設定ステップで設定された前記検索条件を満たす画像情報を前記サーバ装置から取得する取得ステップと、
前記取得ステップにより取得された画像情報を前記画像表示装置に転送する転送ステップと、
を有することを特徴とするがデータ処理方法。
【請求項１３】
前記画像情報は、ページ記述言語に基づく印刷情報であることを特徴とする請求項１１または１２記載のデータ処理方法。
【請求項１４】
サーバ装置と通信可能な情報処理装置におけるデータ処理方法であって、
画像表示装置で表示される画像情報を生成する生成ステップと、
前記生成ステップにより生成された画像情報に前記画像表示装置を識別する識別情報を付加する付加ステップと、
前記識別情報が付加された前記画像情報を前記サーバ装置に転送する転送ステップと、
を備えることを特徴とするデータ処理方法。
【請求項１５】
サーバ装置と通信可能な情報処理装置におけるデータ処理方法であって、
画像表示装置で表示される画像情報を生成する生成ステップと、
前記生成ステップにより生成された画像情報に前記画像表示装置を識別する識別情報と、
前記画像情報を特定するための特定情報とを付加する付加ステップと、
前記識別情報と前記特定情報とが付加された前記画像情報を前記サーバ装置に転送する転送ステップと、
を備えることを特徴とするデータ処理方法。
【請求項１６】
情報処理装置と、画像処理装置と通信可能なサーバ装置におけるデータ処理方法であって、
前記情報処理装置から取得する画像情報と、前記画像処理装置に接続可能な画像表示装置の識別情報とを蓄積手段に蓄積する蓄積ステップと、
前記画像処理装置からの検索要求で指定される識別情報に基づいて、前記蓄積手段に蓄積されている画像情報のうち、前記検索要求で指定される識別情報に対応する画像情報を前記画像処理装置に転送する転送ステップと、
を有することを特徴とするデータ処理方法。
【請求項１７】
情報処理装置と、画像処理装置と通信可能なサーバ装置におけるデータ処理方法であって、
前記情報処理装置から取得する画像情報と、前記画像処理装置に接続可能な画像表示装置の識別情報と、前記画像情報を特定するための特定情報とを蓄積手段に蓄積する蓄積ステップと、
前記画像処理装置からの検索要求で指定される識別情報と検索条件とに基づいて、前記蓄積手段に蓄積されている画像情報のうち、前記検索要求で指定される識別情報に対応する画像情報であって、前記特定情報が前記検索要求で指定される検索条件を満たす画像情報を前記画像処理装置に転送する転送ステップと、
を有することを特徴とするデータ処理方法。
【請求項１８】
前記特定情報は、日時情報であることを特徴とする請求項１２、１５、１７のいずれか１項に記載のデータ処理方法。
【請求項１９】
請求項１１〜１８にいずれかに記載のデータ処理方法をコンピュータに実行させるためのプログラムを格納したことを特徴とするコンピュータが読み取り可能な記憶媒体。
【請求項２０】
請求項１１〜１８にいずれかに記載のデータ処理方法をコンピュータに実行させることを特徴とするプログラム。